(57)【要約】      （修正有）【課題】ＧＰＳ機能を有する携帯電話の電源をオフにしても待ち受け機能とＧＰＳ機能はオフにならない携帯電話を提供する。【解決手段】ＧＰＳ機能を有する携帯電話の電源をオフするのに、暗証番号の入力を必要とすることで、誘拐犯人などが通常の電源のオフ操作をしても、位置の特定ができるようにした。また携帯電話を持つ子供などが危険な場所に近づいた場合には自動的に保護者に連絡をするようにもしている。【選択図】図１
0003116772.tif 000002
【実用新案登録請求の範囲】
【請求項１】
待ち受け状態から電源オフ操作をした時に画面のみ電源オフ状態に切り替わり、待ち受け状態とＧＰＳ機能はオフとならないことを特徴とするＧＰＳ機能を有する携帯電話。
【請求項２】
電源オフ操作時に、あらかじめ設定した暗証番号を入力することにより、待ち受け状態とＧＰＳ機能をオフとできることを特徴とする請求項１記載のＧＰＳ機能を有する携帯電話。
【請求項３】
電源オフ時に、あらかじめ設定したインターネットのアドレスあるいは携帯電話のメールアドレスに位置情報を発信することを特徴とする請求項１あるいは請求項２記載のＧＰＳ機能を有する携帯電話。
【請求項４】
主たる電池が外された時には、容易に外すことができないようなバックアップ電池でＧＰＳ機能をオン状態に維持することを特徴とする請求項１から請求項３記載のＧＰＳ機能を有する携帯電話。
【請求項５】
あらかじめ設定した場所から、あらかじめ設定した距離を離れた時に、自動的に、あらかじめ設定したインターネットのアドレスあるいは携帯電話のメールアドレスに位置情報を発信することを特徴とするＧＰＳ機能を有する携帯電話。
【考案の詳細な説明】
【技術分野】
【０００１】
本発明はＧＰＳ （Global Positioning System 全方位測位システム）装置付携帯電話に関する。
【背景技術】
【０００２】
従来、子供の迷子防止、誘拐時の早期発見、徘徊者の発見、登山あるいは旅行時の位置確認などの目的で携帯電話にＧＰＳ機能を持たせる物が多く実現されている。これらのものは、一般に、別の携帯電話あるいはインターネットで当該携帯電話の位置を確認できるようになっている。
【考案の開示】
【考案が解決しようとする課題】
【０００３】
しかしながら、従来のものは、携帯電話の電源をオフにすると、同時にＧＰＳ機能も停止するのが常であった。例えば、この種の携帯電話を持つ子供が誘拐された時、犯人が携帯電話の電源をオフにすることで、保護者には子供の位置が分からず、発見できないことが多かった。あるいは、保護者が子供の位置を知るための操作をしなければ、池沼、鉄道などの危険な場所に子供が行っても気付かないということがあった。
【課題を解決するための手段】
【０００４】
本考案では、携帯電話の電源をオフするのに、暗証番号の入力を必要とすることで、誘拐犯人などが通常の電源のオフ操作をしても、位置の特定ができるようにした。また携帯電話を持つ子供などが危険な場所に近づいた場合には自動的に保護者に連絡をするようにもしている。このような機能で従来の問題を解決しようとするものである。
【考案の効果】
【０００５】
請求項１の考案では、例えば、この考案のＧＰＳ機能を有する携帯電話を持った子供が誘拐され、犯人が追跡を逃れるために携帯電話の電源をオフにした場合にも画面のみが電源オフ状態に切り替わり、待ち受け状態とＧＰＳ機能はオフとならない。子供の保護者などが、位置を調べ、あるいは通話をしようとしたら、ＧＰＳ機能も通話機能も、共に機能するため、子供の位置を知り、また連絡をとることができて、子供の解放あるいは、犯人の逮捕に役立つ。
【０００６】
請求項２の考案では、請求項１の内容に加えて暗証番号を入力することで、携帯電話を使用しない時の節電が可能になる。また、コンサート会場、病院などの携帯電話の電源をオフにしなければならない場所で電源をオフにすることができる。当然のことながら、誘拐犯人はこの暗証番号を入力するか、電池を外すかをしない限り、ＧＰＳ機能をオフにすることができず、犯人の逮捕に役立つ。
【０００７】
さらに請求項３の考案では、携帯電話の電源をオフにした時に、自動的に、あらかじめ設定したインターネットのアドレスあるいは携帯電話のメールアドレスに位置情報を発信することで、保護者が子供の位置を知ることができ、誘拐された時等の犯人の逮捕に役立つ。
【０００８】
請求項４の考案では、請求項１から請求項３の内容に加えて、携帯電話の電源をオフにした時にも主たる電池からの電力の供給はなくなるが、バックアップ電池はデータ保持、時刻機能以外にＧＰＳ機能をオン状態にする。誘拐犯人は主たる電池を外して、すべての機能をオフにできたと思うが、ＧＰＳ機能は維持されていて、ＧＰＳ機能をオフにすることができず、犯人の逮捕に役立つ。
【０００９】
請求項５の考案では、あらかじめ、携帯電話の保有者が行動する範囲を設定しておき、また、その地点から離れた時に自動的に位置情報を発信するべき距離を設定しておく。また、その場合に自動的に位置情報を発信するインターネットあるいは携帯電話のメールアドレスを設定しておく。こうすることにより、例えば、幼児が誘拐されて普段の行動範囲にない地点に移動させられた場合、あるいは、迷子になった場合などには、自動的に両親などの保護者に位置情報が連絡され、早期の保護に繋がる。これは、老人が認知症などで徘徊する場合にも有効な手段である。
【実施例】
【００１０】
図１の表に本考案の請求項１と請求項２の実施例を示す。携帯電話の待ち受け状態から電源のオフ操作をした状態で、暗証番号を入力しない時には、待ち受け状態すなわち画面と電話機能のみが電源オフ状態になり、ＧＰＳ機能はオフとならない。この時に暗証番号を入力すれば、待ち受け状態、電話機能とＧＰＳ機能をオフとなる。
【００１１】
図２のフローチャートに請求項３の実施例を示す。電源オフ時に、あらかじめ設定したインターネットのアドレスあるいは携帯電話のメールアドレスに自動的に位置情報を発信する。
【００１２】
図３の表に請求項４の実施例を示す。この表は主たる電池の有無とＧＰＳ機能の電源の表である。すなわち、主たる電源がある時はＧＰＳ機能は、その主たる電池を電源としている。主たる電池が外された時は、バックアップ電池がＧＰＳ機能の電源となる。
【００１３】
図４のフローチャートに別の実施例を示す。ＧＰＳ機能を有する携帯電話に、あらかじめ、使用者の行動する地点を入力、設定する。また、同時に使用者の行動範囲、行動能力などを考慮して上記、入力、設定した地点からの距離を設定する。そして、この携帯電話を所有する使用者が設定した地点、距離から離れた時には、自動的に、あらかじめ設定したインターネットのアドレスあるいは携帯電話のメールアドレスに自動的に位置情報を発信する。これは、盗難などで、この携帯電話が使用者の手元を離れていても同様に発信をする。
【図面の簡単な説明】
【００１４】
【図１】本考案の請求項１と請求項２の動作を説明する表である。
【図２】本考案の請求項３の動作を締めすフローチャートである。
【図３】本考案の請求項４の状態を締めす表である。
【図４】本考案の請求項５の動作を締めすフローチャートである。
【図１】
0003116772.tif 000003
【図２】
0003116772.tif 000004
【図３】
0003116772.tif 000005
【図４】
0003116772.tif 000006
【手続補正書】
【提出日】平成17年8月16日(2005.8.16)
【手続補正１】
【補正対象書類名】実用新案登録請求の範囲
【補正対象項目名】請求項５
【補正方法】変更
【補正の内容】
【請求項５】
あらかじめ設定した場所から、あらかじめ設定した距離を離れた時に、自動的に、あらかじめ設定したインターネットのアドレスあるいは携帯電話のメールアドレスに位置情報を発信することを特徴とする請求項１記載のＧＰＳ機能を有する携帯電話。